(57)【要約】【課題】  本発明は、第一流路及び第二流路の流路幅が最大となる範囲での熱交換効率を高めることのできるプレート式熱交換器を提供する。【解決手段】  本発明は、伝熱プレートの第一流路画定領域及び第二流路画定領域は、第一流体と第二流体とを熱交換させる伝熱領域を包含し、伝熱領域は、主伝熱領域から遠ざかるにつれて第三方向の寸法が小さくなる副伝熱領域とを含み、副伝熱領域は、第二方向で主伝熱領域に繋がる第一領域と、第二方向で第一領域に繋がる第二領域であって、第一領域から遠ざかるにつれて第三方向の寸法が小さくなる第二領域とを含み、第一流路及び第二流路において、第二領域と対応する範囲での流通抵抗よりも第一領域と対応する範囲での流通抵抗が大きく、且つ第一領域と対応する範囲での流通抵抗よりも主伝熱領域と対応する範囲での流通抵抗が大きくなるように構成される。【選択図】図２
2019095124.tif 000002
【特許請求の範囲】
【請求項１】
第一方向に重ね合わされた複数の伝熱プレートを備え、複数の伝熱プレートのそれぞれは、第一流体を流通させる第一流路を画定する第一流路画定領域を含む第一面と、該第一面の反対側の第二面であって、第二流体を流通させる第二流路を画定する第二流路画定領域を含む第二面とを有するとともに、それぞれが第一流路画定領域内で第一方向に貫通し且つ第一方向と直交する第二方向に間隔をあけて配置された一対の第一貫通孔であって、それぞれが第一方向に延びて第一流路のみに連通する第一連通路を形成する一対の第一貫通孔と、それぞれが第二流路画定領域内で第一方向に貫通し且つ第二方向に間隔をあけて配置された一対の第二貫通孔であって、それぞれが第一方向に延びて第二流路のみに連通する第二連通路を形成する一対の第二貫通孔とを有し、第一流路画定領域及び第二流路画定領域は、第一流体と第二流体とを熱交換させる伝熱領域であって、第一方向で互いに重なる伝熱領域を含み、伝熱領域は、伝熱プレートの第二方向に延びる縦中心線と第一方向及び第二方向と直交する第三方向に延びる横中心線との交点を含む主伝熱領域と、第二方向で主伝熱領域を挟む一対の副伝熱領域であって、主伝熱領域から遠ざかるにつれて第三方向の寸法が小さくなる一対の副伝熱領域とを含み、一対の副伝熱領域のそれぞれは、第二方向で主伝熱領域に繋がる第一領域と、第二方向で第一領域に繋がる第二領域であって、第一領域から遠ざかるにつれて第三方向の寸法が小さくなる第二領域とを含み、第一流路及び第二流路のそれぞれにおいて、第二領域と対応する範囲での流通抵抗よりも第一領域と対応する範囲での流通抵抗が大きく、且つ第一領域と対応する範囲での流通抵抗よりも主伝熱領域と対応する範囲での流通抵抗が大きくなるように構成されることを特徴とするプレート式熱交換器。
【請求項２】
第一流路画定領域の伝熱領域には、複数の凹部及び凸部が形成されるとともに、第二流路画定領域の伝熱領域には、第一流路画定領域における伝熱領域の凹部と表裏の関係にある凸部及び第一流路画定領域における伝熱領域の凸部と表裏の関係にある凹部が形成され、第一流路画定領域及び第二流路画定領域のそれぞれの伝熱領域において、凹部と凸部とが所定方向で交互に配置され、第二領域内の凹部を挟んで隣り合う凸部同士の間隔が、第一領域内の凹部を挟んで隣り合う凸部同士の間隔よりも広く、第一領域内の凹部を挟んで隣り合う凸部同士の間隔が、主伝熱領域内の凹部を挟んで隣り合う凸部同士の間隔よりも広く設定されている請求項１に記載のプレート式熱交換器。
【請求項３】
主伝熱領域、副伝熱領域の第一領域、及び副伝熱領域の第二領域の少なくとも何れか一つの領域にある凹部及び凸部は、該凹部と該凸部とが交互に並ぶ所定方向と直交する方向に延びる凹条及び凸条であり、隣り合う伝熱プレートの前記何れか一つの領域にある凸条同士が交差衝合している請求項２に記載のプレート式熱交換器。
【請求項４】
一対の第一貫通孔と一対の第二貫通孔とは、第三方向に間隔をあけて配置され、第二領域は、第三方向で隣り合う第一貫通孔と第二貫通孔との間に配置され、第一領域は、第三方向で隣り合う第一貫通孔及び第二貫通孔と主伝熱領域との間に配置される請求項１乃至３の何れか１項に記載のプレート式熱交換器。
【発明の詳細な説明】
【技術分野】
【０００１】
本発明は、重ね合わされた複数の伝熱プレートを備え、伝熱プレートを境にして、第一流体を流通させる第一流路と、第二流体を流通させる第二流路とが交互に形成されたプレート式熱交換器に関する。
【背景技術】
【０００２】
従来から、第一流体と第二流体とを熱交換させる熱交換器の一つとして、プレート式熱交換器が公知である。
【０００３】
かかるプレート式熱交換器は、第一方向に重ね合わされた複数の伝熱プレートを備え、伝熱プレートを境にして、第一流体を流通させる第一流路と、第二流体を流通させる第二流路とが交互に形成されている（例えば、特許文献１参照）。
【０００４】
これを前提に、図１２及び図１３に示す如く、伝熱プレート１００は、第一流路Ｒａを画定する第一流路画定領域１０１を含む第一面Ｓａと、該第一面Ｓａの反対側の第二面Ｓｂであって、第二流路Ｒｂを画定する第二流路画定領域１０２を含む第二面Ｓｂとを有する。また、伝熱プレート１００は、それぞれが第一流路画定領域１０１内で第一方向に貫通した一対の第一貫通孔１０３であって、第一方向と直交する第二方向に間隔をあけて配置された一対の第一貫通孔１０３と、それぞれが第二流路画定領域１０２内で第一方向に貫通した一対の第二貫通孔１０４であって、第二方向に間隔をあけて配置された一対の第二貫通孔１０４とを有する。
【０００５】
一対の第一貫通孔１０３のうちの一方の第一貫通孔１０３は、一対の第二貫通孔１０４のうちの一方の第二貫通孔１０４に対して第一方向及び第二方向と直交する第三方向に間隔をあけて配置されている。これに対し、一対の第一貫通孔１０３のうちの他方の第一貫通孔１０３は、一対の第二貫通孔１０４のうちの他方の第二貫通孔１０４に対して第三方向に間隔をあけて配置されている。
【０００６】
これに伴い、第一流路画定領域１０１及び第二流路画定領域１０２は、第一流体と第二流体とを熱交換させる伝熱領域１０５，１０６であって、第一方向で互いに重なる伝熱領域１０５，１０６を含む。第一流路画定領域１０１及び第二流路画定領域１０２のそれぞれにおいて、伝熱領域１０５，１０６は、伝熱プレート１００の第二方向に延びる縦中心線ＣＬ１と第三方向に延びる横中心線ＣＬ２との交点を含む主伝熱領域１０５ａ，１０６ａと、第二方向で主伝熱領域１０５ａ，１０６ａを挟む一対の副伝熱領域１０５ｂ，１０６ｂであって、主伝熱領域１０５ａ，１０６ａから遠ざかるにつれて第三方向の寸法が小さくなる一対の副伝熱領域１０５ｂ，１０６ｂとを含む。
【０００７】
そして、第一流体と第二流体との熱交換効率を高めるべく、伝熱プレート１００の第一面Ｓａ及び第二面Ｓｂのそれぞれの伝熱領域１０５，１０６（主伝熱領域１０５ａ，１０６ａ及び副伝熱領域１０５ｂ，１０６ｂ）は、凹凸面にされる。
【０００８】
具体的には、伝熱プレート１００の第一面Ｓａ及び第二面Ｓｂのそれぞれにおいて、主伝熱領域１０５ａ，１０６ａには、それぞれが所定方向に延びる凹条１０７ａ，１０８ａ及び凸条１０７ｂ，１０８ｂが自身の延びる方向と直交する方向に交互に形成される。また、一対の副伝熱領域１０５ｂ，１０６ｂには、それぞれが所定の方向に延びる凹条１０７ａ，１０８ａ及び凸条１０７ｂ，１０８ｂが、自身の延びる方向と直交する方向に交互に形成される。
【０００９】
かかるプレート式熱交換器において、複数の伝熱プレート１００のそれぞれは、第一面Ｓａを第一方向の一方側で隣り合う伝熱プレート１００の第一面Ｓａと対向させるとともに、第二面Ｓｂを第一方向の他方側で隣り合う伝熱プレート１００の第二面Ｓｂと対向させて配置される。この状態において、図１４及び図１５に示す如く、隣り合う伝熱プレート１００の主伝熱領域１０５ａ，１０６ａにある凸条１０７ｂ，１０８ｂ同士が互いに交差衝合するとともに、隣り合う伝熱プレート１００の副伝熱領域１０５ｂ，１０６ｂにある凸条１０７ｂ，１０８ｂ同士が互いに交差衝合する。
【００１０】
そして、第一面Ｓａ同士を対向させた伝熱プレート１００（隣り合う伝熱プレート１００）の間が第一流路画定領域１０１の輪郭に沿って封止されるとともに、第二面Ｓｂ同士を対向させた伝熱プレート１００（隣り合う伝熱プレート１００）の間が第二流路画定領域１０２の輪郭に沿って封止される。
【００１１】
これより、プレート式熱交換器において、隣り合う伝熱プレート１００の第一流路画定領域１０１間に第一流路Ｒａが形成されるとともに、隣り合う伝熱プレート１００の第二流路画定領域１０２間に第二流路Ｒｂが形成される。また、第一流路画定領域１０１内にある第一貫通孔１０３が第一方向に連なって、第一流路Ｒａのみに連通する一対の第一連通路Ｒａ１，Ｒａ２が形成されるとともに、第二流路画定領域１０２内にある第二貫通孔１０４が第一方向に連なって、第二流路Ｒｂのみに連通する一対の第二連通路Ｒｂ１，Ｒｂ２が形成される。
【００１２】
かかるプレート式熱交換器では、一方の第一連通路Ｒａ１に第一流体Ａが供給されることで、第一流体Ａは、一方の第一連通路Ｒａ１から第一流路Ｒａに流入し、第一流路Ｒａにおいて他方の第一連通路Ｒａ２に向けて流通する。これに対し、一方の第二連通路Ｒｂ１に第二流体Ｂが供給されることで、第二流体Ｂは、一方の第二連通路Ｒｂ１から第二流路Ｒｂに流入し、第二流路Ｒｂにおいて他方の第二連通路Ｒｂ２に向けて流通する。
【００１３】
このとき、第一流体Ａ及び第二流体Ｂは、伝熱プレート１００の伝熱領域１０５，１０６を介して熱交換を行う。そして、この種のプレート式熱交換器では、伝熱領域１０５，１０６（主伝熱領域１０５ａ，１０６ａ、副伝熱領域１０５ｂ，１０６ｂ）に複数の凹条１０７ａ，１０８ａ及び凸条１０７ｂ，１０８ｂが存在するため、第一流路Ｒａにおける第一流体Ａの流れ及び第二流路Ｒｂにおける第二流体Ｂの流れが乱され、高い熱伝達効率が得られる。
【００１４】
ところで、第一流路画定領域１０１の伝熱領域１０５に含まれる副伝熱領域１０５ｂは、第一流体Ａを流出入させる第一連通路Ｒａ１，Ｒａ２（第一貫通孔１０３）を含む領域に対して直近で隣り合い、第二流路画定領域１０２の伝熱領域１０６に含まれる副伝熱領域１０６ｂは、第二流体Ｂを流出入させる第二連通路Ｒｂ１，Ｒｂ２（第二貫通孔１０４）を含む領域に対して直近で隣り合う。
【００１５】
これに伴い、第一流路Ｒａに対する第一流体Ａの流出入の効率性を高めるために、第一流路画定領域１０１の伝熱領域１０５に含まれる副伝熱領域１０５ｂ全域にある凸条１０７ｂ同士の間隔（単一の凹条１０７ａを挟んで隣り合う凸条１０７ｂ同士の間隔）が、第一流路画定領域１０１の伝熱領域１０５に含まれる主伝熱領域１０５ａ全域にある凸条１０７ｂ同士の間隔（単一の凹条１０７ａを挟んで隣り合う凸条１０７ｂ同士の間隔）よりも広く設定され、第一流路Ｒａの副伝熱領域１０５ｂと対応する範囲（第一流路Ｒａの出入口となる第一連通路の周辺）での第一流体Ａの流通抵抗が小さくされる。
【００１６】
また、第二流路Ｒｂに対する第二流体Ｂの流出入の効率性を高めるために、第二流路画定領域１０２の伝熱領域１０６に含まれる副伝熱領域１０６ｂ全域にある凸条１０８ｂ同士の間隔（単一の凹条１０８ａを挟んで隣り合う凸条１０８ｂ同士の間隔）が、第二流路画定領域１０２の伝熱領域１０６に含まれる主伝熱領域１０６ａ全域にある凸条１０８ｂ同士の間隔（単一の凹条１０８ａを挟んで隣り合う凸条１０８ｂ同士の間隔）よりも広く設定され、第二流路Ｒｂの副伝熱領域１０６ｂと対応する範囲（第二流路Ｒｂの出入口となる第二連通路の周辺）での第二流体Ｂの流通抵抗が小さくされる。
【００１７】
しかしながら、第一流路Ｒａにおける副伝熱領域１０５ｂと対応する範囲の流通抵抗が小さいと、一方の第一連通路Ｒａ１から第一流路Ｒａに流入した第一流体Ａは、第一流路Ｒａにおける副伝熱領域１０５ｂと対応する範囲において、最短距離で主伝熱領域１０５ａと対応する範囲に到達しようとする傾向にある。これに伴い、第一流路Ｒａにおける主伝熱領域１０５ａと対応する範囲に到達した第一流体Ａは、該主伝熱領域１０５ａと対応する範囲においても最短距離で出口（他方の第一連通路）に向けて流通する。そのため、第一流路Ｒａにおいて、第一流体Ａが主伝熱領域１０５ａと対応する範囲全域に広がりにくくなる傾向にある。この点、第二流路Ｒｂにおいても同様である。
【００１８】
従って、従来のプレート式熱交換器では、第一流路Ｒａ及び第二流路Ｒｂの流路幅が最大となる主伝熱領域１０５ａ，１０６ａと対応する範囲での熱交換効率が低くなってしまう。
【先行技術文献】
【特許文献】
【００１９】
【特許文献１】特開２０１２―１２２６８８号公報
【発明の概要】
【発明が解決しようとする課題】
【００２０】
そこで、本発明は、第一流路及び第二流路の流路幅が最大となる範囲での熱交換効率を高めることのできるプレート式熱交換器を提供することを課題とする。
【課題を解決するための手段】
【００２１】
本発明に係るプレート式熱交換器は、第一方向に重ね合わされた複数の伝熱プレートを備え、複数の伝熱プレートのそれぞれは、第一流体を流通させる第一流路を画定する第一流路画定領域を含む第一面と、該第一面の反対側の第二面であって、第二流体を流通させる第二流路を画定する第二流路画定領域を含む第二面とを有するとともに、それぞれが第一流路画定領域内で第一方向に貫通し且つ第一方向と直交する第二方向に間隔をあけて配置された一対の第一貫通孔であって、それぞれが第一方向に延びて第一流路のみに連通する第一連通路を形成する一対の第一貫通孔と、それぞれが第二流路画定領域内で第一方向に貫通し且つ第二方向に間隔をあけて配置された一対の第二貫通孔であって、それぞれが第一方向に延びて第二流路のみに連通する第二連通路を形成する一対の第二貫通孔とを有し、第一流路画定領域及び第二流路画定領域は、第一流体と第二流体とを熱交換させる伝熱領域であって、第一方向で互いに重なる伝熱領域を含み、伝熱領域は、伝熱プレートの第二方向に延びる縦中心線と第一方向及び第二方向と直交する第三方向に延びる横中心線との交点を含む主伝熱領域と、第二方向で主伝熱領域を挟む一対の副伝熱領域であって、主伝熱領域から遠ざかるにつれて第三方向の寸法が小さくなる一対の副伝熱領域とを含み、一対の副伝熱領域のそれぞれは、第二方向で主伝熱領域に繋がる第一領域と、第二方向で第一領域に繋がる第二領域であって、第一領域から遠ざかるにつれて第三方向の寸法が小さくなる第二領域とを含み、第一流路及び第二流路のそれぞれにおいて、第二領域と対応する範囲での流通抵抗よりも第一領域と対応する範囲での流通抵抗が大きく、且つ第一領域と対応する範囲での流通抵抗よりも主伝熱領域と対応する範囲での流通抵抗が大きくなるように構成されることを特徴とする。
【００２２】
上記構成によれば、一対の第一連通路のうちの何れか一方の第一連通路から第一流路に流入した第一流体は、流通抵抗の小さな第二領域と対応した範囲を優先的に流通する。そして、第一流体は、第一領域の流通抵抗によって、最短ルートで第一領域に進入しにくくなるため、後続の第一流体は、第二方向に広がったり、最短ルートよりも距離が長い別ルートを通ったりすることになる結果、第一流路における第二領域と対応する範囲に充満し、第一領域と対応する範囲全域又は略全域に進入する。
【００２３】
そして、最短ルートを通る第一流体が、最短ルートよりも距離が長い別ルートを通る第一流体よりも先行していたとしても、先行して主伝熱領域と対応する範囲に到達した第一流体は、主伝熱領域と対応する範囲での流通抵抗により、そのまま最短ルートを通過して主伝熱領域に進入しにくくなる。
【００２４】
その結果、最短ルートよりも距離が長い別ルートを通った第一流体が、最短ルートを通る第一流体に対して追いついた或いは略追いついた状態になり、第一流路における第一領域と対応する範囲にある第一流体は、主伝熱領域と対応する範囲全域又は略全域に対してバランスをとった状態で進入した後、主伝熱領域と対応する範囲を第二方向に流通し、他方の副伝熱領域と対応した範囲を介して何れか他方の第一連通路に排出される。
【００２５】
また、一対の第二連通路のうちの何れか一方の第二連通路から第二流路に流入した第二流体は、流通抵抗の小さな第二領域と対応した範囲を優先的に流通する。そして、第二流体は、第二領域の流通抵抗によって、最短ルートで第二領域に進入しにくくなるため、後続の第二流体は、第二方向に広がったり、最短ルートよりも距離が長い別ルートを通ったりすることになる結果、第二流路における第二領域と対応する範囲に充満し、第二領域と対応する範囲全域又は略全域に進入する。
【００２６】
そして、最短ルートを通る第二流体が、最短ルートよりも距離が長い別ルートを通る第二流体よりも先行していたとしても、先行して主伝熱領域と対応する範囲に到達した第二流体は、主伝熱領域と対応する範囲での流通抵抗により、そのまま最短ルートを通過して主伝熱領域に進入しにくくなる。
【００２７】
その結果、最短ルートよりも距離が長い別ルートを通った第二流体が、最短ルートを通る第二流体に対して追いついた或いは略追いついた状態になり、第二流路における第二領域と対応する範囲にある第二流体は、主伝熱領域と対応する範囲全域又は略全域に対してバランスをとった状態で進入した後、主伝熱領域と対応する範囲を第二方向に流通し、他方の副伝熱領域と対応した範囲を介して何れか他方の第二連通路に排出される。
【００２８】
これにより、上記構成のプレート式熱交換器では、流路幅が最大となる範囲（主伝熱領域と対応する範囲）での熱交換効率を高めることができるという優れた効果を奏し得る。
【００２９】
本発明の一態様として、第一流路画定領域の伝熱領域には、複数の凹部及び凸部が形成されるとともに、第二流路画定領域の伝熱領域には、第一流路画定領域における伝熱領域の凹部と表裏の関係にある凸部及び第一流路画定領域における伝熱領域の凸部と表裏の関係にある凹部が形成され、第一流路画定領域及び第二流路画定領域のそれぞれの伝熱領域において、凹部と凸部とが所定方向で交互に配置され、第二領域内の凹部を挟んで隣り合う凸部同士の間隔が、第一領域内の凹部を挟んで隣り合う凸部同士の間隔よりも広く、第一領域内の凹部を挟んで隣り合う凸部同士の間隔が、主伝熱領域内の凹部を挟んで隣り合う凸部同士の間隔よりも広く設定されてもよい。
【００３０】
このようにすれは、第一流路及び第二流路のそれぞれにおいて、主伝熱領域及び副伝熱領域（第一領域及び第二領域）のそれぞれの領域と対応する範囲に対し、凸条同士の間隔と対応した流通抵抗を付与することができる。
【００３１】
この場合、主伝熱領域、副伝熱領域の第一領域、及び副伝熱領域の第二領域の少なくとも何れか一つの領域にある凹部及び凸部は、該凹部と該凸部とが交互に並ぶ所定方向と直交する方向に延びる凹条及び凸条であり、隣り合う伝熱プレートの前記何れか一つの領域にある凸条同士が交差衝合してもよい。
【００３２】
このようにすれば、第一流路で第一流体の流れが乱れるとともに、第二流路で第二流体の流れが乱れる。これにより、第一流体と第二流体との熱交換効率が高められる。
【００３３】
本発明の他態様として、一対の第一貫通孔と一対の第二貫通孔とは、第三方向に間隔をあけて配置され、第二領域は、第三方向で隣り合う第一貫通孔と第二貫通孔との間に配置され、第一領域は、第三方向で隣り合う第一貫通孔及び第二貫通孔と主伝熱領域との間に配置されることが好ましい。
【００３４】
このようにすれば、第一貫通孔から第一流路に流入した第一流体を、第一流路における上流域となる第二領域に向けて優先的に流通させることができ、最短ルートだけでなく最短ルートよりも距離の長い別のルートにも第一流体を流通させることができる。これにより、第一流路における第二領域と対応する範囲の全域又は略全域に第一流体を充満させ、この第一流体を下流側に流通させることができる。また、第二貫通孔から第二流路に流入した第二流体を、第二流路における上流域となる第二領域に向けて優先的に流通させることができ、最短ルートだけでなく最短ルートよりも距離の長い別のルートにも第二流体を流通させることができる。これにより、第二流路における第二領域と対応する範囲の全域又は略全域に第二流体を充満させ、この第二流体を下流側に流通させることができる。
【発明の効果】
【００３５】
本発明によれば、第一流路及び第二流路の流路幅が最大となる範囲での熱交換効率を高めることができるという優れた効果を奏し得る。
【図面の簡単な説明】
【００３６】
【図１】図１は、本発明の一実施形態に係るプレート式熱交換器の概略分解斜視図である。
【図２】図２は、同実施形態に係るプレート式熱交換器の伝熱プレート（第一伝熱プレート）を第一面側から見た図である。
【図３】図３は、同実施形態に係るプレート式熱交換器の伝熱プレート（第一伝熱プレート）を第二面側から見た図である。
【図４】図４は、同実施形態に係るプレート式熱交換器の伝熱プレート（第二伝熱プレート）を第一面側から見た図である。
【図５】図５は、同実施形態に係るプレート式熱交換器の伝熱プレート（第二伝熱プレート）を第二面側から見た図である。
【図６】図６は、図２のＶＩ部の拡大図である。
【図７】図７は、図３のＶＩＩ部の拡大図である。
【図８】図８は、図４のＶＩＩＩ部の拡大図である。
【図９】図９は、図５のＩＸ部の拡大図である。
【図１０】図１０は、同実施形態に係るプレート式熱交換器の第一流路での第一流体の流れを説明するための図である。
【図１１】図１１は、同実施形態に係るプレート式熱交換器の第二流路での第二流体の流れを説明するための図である。
【図１２】図１２は、従来のプレート式熱交換器の伝熱プレートを第一面側から見た図である。
【図１３】図１３は、従来のプレート式熱交換器の伝熱プレートを第二面側から見た図である。
【図１４】図１４は、従来のプレート式熱交換器の第一流路での第一流体の流れを説明するための図である。
【図１５】図１５は、従来のプレート式熱交換器の第二流路での第二流体の流れを説明するための図である。
【発明を実施するための形態】
【００３７】
以下、本発明の一実施形態について、添付図面を参照しつつ説明する。
【００３８】
図１に示す如く、プレート式熱交換器１は、第一方向に重ね合わされた複数の伝熱プレート２，３を備える。本実施形態において、プレート式熱交換器１は、複数の伝熱プレート２，３に加え、第一方向で隣り合う伝熱プレート２，３間に介装されるガスケット４（４ａ，４ｂ，４ｃ，４ｄ）と、重ね合わされた複数の伝熱プレート２，３を第一方向から挟み込む一対のエンドプレート５，６とを備える。
【００３９】
複数の伝熱プレート２，３のそれぞれは、図２乃至図５に示す如く、第一方向から見て四角形状に形成される。本実施形態において、伝熱プレート２，３は、第一方向と直交する第二方向の外寸が第一方向及び第二方向と直交する第三方向の外寸よりも大きく設定され、第二方向に長手の長方形状に形成される。
【００４０】
複数の伝熱プレート２，３のそれぞれは、第一流体Ａを流通させる第一流路Ｒａ（図１参照）を画定する第一流路画定領域２０，３０を含む第一面Ｓａと、該第一面Ｓａの反対側の第二面Ｓｂであって、第二流体Ｂを流通させる第二流路Ｒｂ（図１参照）を画定する第二流路画定領域２１，３１を含む第二面Ｓｂとを有する。また、複数の伝熱プレート２，３は、それぞれが第一流路画定領域２０，３０内で第一方向に貫通し且つ第二方向に間隔をあけて配置された一対の第一貫通孔２２，３２であって、それぞれが第一方向に延びて第一流路Ｒａのみに連通する第一連通路Ｒａ１，Ｒａ２（図１参照）を形成する一対の第一貫通孔２２，３２と、それぞれが第二流路画定領域２１，３１内で第一方向に貫通し且つ第二方向に間隔をあけて配置された一対の第二貫通孔２３，３３であって、それぞれが第一方向に延びて第二流路Ｒｂのみに連通する第二連通路Ｒｂ１，Ｒｂ２（図１参照）を形成する一対の第二貫通孔２３，３３とを有する。
【００４１】
これに伴い、本実施形態に係る伝熱プレート２，３は、第一面Ｓａ上で第一流路画定領域２０，３０の輪郭に沿った無端環状の第一シール予定領域２４，３４であって、ガスケット４（後述する第一ガスケット４ａ（図１参照））が配置される第一シール予定領域２４，３４と、第二面Ｓｂ上で第二流路画定領域２１，３１の輪郭に沿った無端環状の第二シール予定領域２５，３５であって、ガスケット４（後述する第二ガスケット４ｂ（図１参照））が配置される第二シール予定領域２５，３５と、第一面Ｓａ上で第一流路画定領域２０，３０から外れた二つの第二貫通孔２３，３３のそれぞれを取り囲む一対の第三シール予定領域２６，３６であって、それぞれにガスケット４（後述する第三ガスケット４ｃ（図１参照））が配置される一対の第三シール予定領域２６，３６と、第二面Ｓｂ上で第二流路画定領域２１，３１から外れた二つの第一貫通孔２２，３２のそれぞれを取り囲む一対の第四シール予定領域２７，３７であって、それぞれにガスケット４（後述する第四ガスケット４ｄ（図１参照））が配置される一対の第四シール予定領域２７，３７とを有する。
【００４２】
第一流路画定領域２０，３０及び第二流路画定領域２１，３１は、第一流体Ａと第二流体Ｂとを熱交換させる伝熱領域２００，２１０，３００，３１０であって、第一方向で相互に重複した伝熱領域２００，２１０，３００，３１０を含む。
【００４３】
第一流路画定領域２０，３０の伝熱領域２００，３００は、第一貫通孔２２，３２を躱した領域であり、第二流路画定領域２１，３１の伝熱領域２１０，３１０は、第二貫通孔２３，３３を躱した領域である。
【００４４】
より詳しくは、第一流路画定領域２０，３０は、伝熱領域２００，３００と、第二方向で伝熱領域２００，３００を挟んで配置された二つの第一貫通孔形成領域２０１，３０１であって、それぞれが第一貫通孔２２，３２を有する二つの第一貫通孔形成領域２０１，３０１とを含む。これに対し、第二流路画定領域２１，３１は、伝熱領域２１０，３１０と、第二方向で伝熱領域２１０，３１０を挟んで配置された二つの第二貫通孔形成領域２１１，３１１であって、それぞれが第二貫通孔２３，３３を有する二つの第二貫通孔形成領域２１１，３１１とを含む。
【００４５】
伝熱領域２００，２１０，３００，３１０は、第二方向に延びる縦中心線ＣＬ１又は第三方向に延びる横中心線ＣＬ２を含む領域である。これに対し、第一貫通孔形成領域２０１，３０１及び第二貫通孔形成領域２１１，３１１のそれぞれは、縦中心線ＣＬ１及び横中心線ＣＬ２から外れた領域である。すなわち、第一貫通孔形成領域２０１，３０１は、伝熱プレート２，３を縦中心線ＣＬ１と横中心線ＣＬ２とによって区切った四つの領域のうちの二つの領域であって、第二方向に並ぶ二つの領域に配置され、第二貫通孔形成領域２１１，３１１は、伝熱プレート２，３を縦中心線ＣＬ１と横中心線ＣＬ２とによって区切った四つの領域のうちの第一貫通孔形成領域２０１，３０１の配置された領域とは異なる二つの領域であって、第二方向に並ぶ二つの領域に配置される。
【００４６】
本実施形態において、二つの第一貫通孔形成領域２０１，３０１（第一貫通孔２２，３２）は、伝熱プレート２，３を縦中心線ＣＬ１と横中心線ＣＬ２とによって区切った四つの領域のうち、第三方向において伝熱プレート２，３の縦中心線ＣＬ１よりも一端側にある二つの領域に配置され、二つの第二貫通孔形成領域２１１，３１１（第二貫通孔２３，３３）は、伝熱プレート２，３を縦中心線ＣＬ１と横中心線ＣＬ２とによって区切った四つの領域のうち、第三方向において伝熱プレート２，３の縦中心線ＣＬ１よりも他端側にある二つの領域に配置される。
【００４７】
本実施形態において、第一流路画定領域２０，３０の第二方向におけるサイズは、縦中心線ＣＬ１によって区切られた二つの領域のうちの自身が包含する第一貫通孔形成領域２０１，３０１（第一貫通孔２２，３２）の存在する一方の領域側から他方の領域に向うにつれて小さくなっている。
【００４８】
これに伴い、第一流路画定領域２０，３０は、台形状に形成される。すなわち、第一流路画定領域２０，３０は、第三方向の一端に沿った第一辺（第二方向に延びる第一辺）と、第三方向の他端に沿った第二辺（第二方向に延びる第二辺）であって、第二方向において第一辺よりも短い第二辺と、第一辺の両端と第二辺との両端とを繋ぐ一対の傾斜辺とによって画定される。
【００４９】
本実施形態において、第二流路画定領域２１，３１の第二方向におけるサイズは、縦中心線ＣＬ１によって区切られた二つの領域のうちの自身が包含する第二貫通孔形成領域２１１，３１１（第二貫通孔２３，３３）の存在する一方の領域側から他方の領域に向うにつれて小さくなっている。
【００５０】
これに伴い、第二流路画定領域２１，３１は、台形状に形成される。第三方向の他端に沿った第一辺（第二方向に延びる第一辺）と、第三方向の一端に沿った第二辺（第二方向に延びる第二辺）であって、第二方向において第一辺よりも短い第二辺と、第一辺の両端と第二辺との両端とを繋ぐ一対の傾斜辺とによって画定される。
【００５１】
第一流路画定領域２０，３０を画定する第一辺と、第二流路画定領域２１，３１を画定する第一辺とは、縦中心線ＣＬ１を基準に対称に配置され、第一流路画定領域２０，３０を画定する第二辺と、第二流路画定領域２１，３１を画定する第二辺とは、縦中心線ＣＬ１を基準に対称に配置される。すなわち、第一流路画定領域２０，３０と第二流路画定領域２１，３１とは、縦中心線ＣＬ１を基準に対称に配置され、第一流路画定領域２０，３０を画定する傾斜辺と第二流路画定領域２１，３１を画定する傾斜辺とは、第一方向から見て交差する。
【００５２】
これに伴い、第一流路画定領域２０，３０の伝熱領域２００，３００と、第二流路画定領域２１，３１の伝熱領域２１０，３１０とは、第一方向から見て重複する。すなわち、第一流路画定領域２０，３０の伝熱領域２００，３００と、第二流路画定領域２１，３１の伝熱領域２１０，３１０とは、第一方向から見て一致する。
【００５３】
第一流路画定領域２０，３０及び第二流路画定領域２１，３１のそれぞれにおいて、伝熱領域２００，２１０，３００，３１０は、伝熱プレート２，３の縦中心線ＣＬ１と横中心線ＣＬ２との交点を含む主伝熱領域２０２，２１２，３０２，３１２と、第二方向で主伝熱領域２０２，２１２，３０２，３１２を挟む一対の副伝熱領域２０３，２１３，３０３，３１３であって、主伝熱領域２０２，２１２，３０２，３１２から遠ざかるにつれて第三方向の寸法が小さくなる一対の副伝熱領域２０３，２１３，３０３，３１３とを含む。
【００５４】
本実施形態において、第一流路画定領域２０，３０及び第二流路画定領域２１，３１の伝熱領域２００，２１０，３００，３１０は、四角形状の主伝熱領域２０２，２１２，３０２，３１２と、それぞれが三角形状をなす一対の副伝熱領域２０３，２１３，３０３，３１３であって、主伝熱領域２０２，２１２，３０２，３１２を挟んで配置される一対の副伝熱領域２０３，２１３，３０３，３１３とを含む。これに伴い、本実施形態に係る伝熱領域２００，２１０，３００，３１０は、第一流路画定領域２０，３０及び第二流路画定領域２１，３１のそれぞれを画定する互いの第一辺と斜辺の一部によって画定される略六角状の領域とされる。これに伴い、本実施形態において、第一貫通孔形成領域２０１，３０１は、三角形状の副伝熱領域２０３，３０３を画定する二つの斜辺のうちの一方の斜辺に接続され、第二貫通孔形成領域２１１，３１１は、第三角形状の副伝熱領域２１３，３１３を画定する二つの斜辺のうちの他方の斜辺に接続されている。
【００５５】
一対の副伝熱領域２０３，２１３，３０３，３１３は、第二方向で主伝熱領域２０２，２１２，３０２，３１２に繋がる第一領域２０３ａ，２１３ａ，３０３ａ，３１３ａと、第二方向で第一領域２０３ａ，２１３ａ，３０３ａ，３１３ａに繋がる第二領域２０３ｂ，２１３ｂ，３０３ｂ，３１３ｂであって、第一領域２０３ａ，２１３ａ，３０３ａ，３１３ａから遠ざかるにつれて第三方向の寸法が小さくなる第二領域２０３ｂ，２１３ｂ，３０３ｂ，３１３ｂとを含む。
【００５６】
図２乃至図９に示す如く、第一流路画定領域２０，３０の伝熱領域２００，３００には、第一流路Ｒａを流通する第一流体Ａに流通抵抗を付与するための複数の凹部２０４ａ，２０５ａ，２０６ａ，３０４ａ，３０５ａ，３０６ａ及び凸部２０４ｂ，２０５ｂ，２０６ｂ，３０４ｂ，３０５ｂ，３０６ｂが形成され、第二流路画定領域２１，３１の伝熱領域２１０，３１０には、第二流路Ｒｂを流通する第二流体Ｂに流通抵抗を付与するための複数の凹部２１４ａ，２１５ａ，２１６ａ，３１４ａ，３１５ａ，３１６ａ及び凸部２１４ｂ，２１５ｂ，２１６ｂ，３１４ｂ，３１５ｂ，３１６ｂが形成される。
【００５７】
第一流路画定領域２０，３０の伝熱領域２００，３００及び第二流路画定領域２１，３１の伝熱領域２１０，３１０のそれぞれにおいて、凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂは、所定方向に交互に配置される。
【００５８】
伝熱プレート２，３は、金属プレートをプレス成型したものである。これに伴い、第一流路画定領域２０，３０の伝熱領域２００，３００の凹部２０４ａ，２０５ａ，２０６ａ，３０４ａ，３０５ａ，３０６ａと、第二流路画定領域２１，３１の伝熱領域２１０，３１０の凸部２１４ｂ，２１５ｂ，２１６ｂ，３１４ｂ，３１５ｂ，３１６ｂとは、表裏の関係にある。また、第一流路画定領域２０，３０の伝熱領域２００，３００の凸部２０４ｂ，２０５ｂ，２０６ｂ，３０４ｂ，３０５ｂ，３０６ｂと、第二流路画定領域２１，３１の伝熱領域２１０，３１０の凹部２１４ａ，２１５ａ，２１６ａ，３１４ａ，３１５ａ，３１６ａとは表裏の関係にある。
【００５９】
本実施形態に係るプレート式熱交換器１は、第一流路Ｒａ及び第二流路Ｒｂのそれぞれにおいて、第一領域２０３ａ，２１３ａ，３０３ａ，３１３ａと対応する範囲での流通抵抗よりも第二領域２０３ｂ，２１３ｂ，３０３ｂ，３１３ｂと対応する範囲での流通抵抗が大きく、且つ第二領域２０３ｂ，２１３ｂ，３０３ｂ，３１３ｂと対応する範囲での流通抵抗よりも主伝熱領域２０２，２１２，３０２，３１２と対応する範囲での流通抵抗が大きくなるように構成される。
【００６０】
具体的には、各伝熱プレート２，３において、第二領域２０３ｂ，２１３ｂ，３０３ｂ，３１３ｂ内で凹部２０５ａ，２１５ａ，３０５ａ，３１５ａを挟んで隣り合う凸部２０５ｂ，２１５ｂ，３０５ｂ，３１５ｂ同士の間隔が、第一領域２０３ａ，２１３ａ，３０３ａ，３１３ａ内で凹部２０４ａ，２１４ａ，３０４ａ，３１４ａを挟んで隣り合う凸部２０４ｂ，２１４ｂ，３０４ｂ，３１４ｂ同士の間隔よりも広く、第一領域２０３ａ，２１３ａ，３０３ａ，３１３ａ内で凹部２０４ａ，２１４ａ，３０４ａ，３１４ａを挟んで隣り合う凸部２０４ｂ，２１４ｂ，３０４ｂ，３１４ｂ同士の間隔が、主伝熱領域２０２，２１２，３０２，３１２内で凹部２０６ａ，２１６ａ，３０６ａ，３１６ａを挟んで隣り合う凸部２０６ｂ，２１６ｂ，３０６ｂ，３１６ｂ同士の間隔よりも広く設定されている。
【００６１】
本実施形態において、主伝熱領域２０２，２１２，３０２，３１２、第一領域２０３ａ，２１３ａ，３０３ａ，３１３ａ、及び第二領域２０３ｂ，２１３ｂ，３０３ｂ，３１３ｂにある凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂは、該凹部２０４ａ，２０５ａ，２０６ａ，２１４ａ，２１５ａ，２１６ａ，３０４ａ，３０５ａ，３０６ａ，３１４ａ，３１５ａ，３１６ａと該凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂとが交互に並ぶ所定方向と直交する方向に延びる凹条及び凸条である。
【００６２】
従って、第二領域２０３ｂ，２１３ｂ，３０３ｂ，３１３ｂ内で凹条２０５ａ，２１５ａ，３０５ａ，３１５ａを挟んで隣り合う凸条２０５ｂ，２１５ｂ，３０５ｂ，３１５ｂ同士の間隔が、第一領域２０３ａ，２１３ａ，３０３ａ，３１３ａ内で凹条２０４ａ，２１４ａ，３０４ａ，３１４ａを挟んで隣り合う凸条２０４ｂ，２１４ｂ，３０４ｂ，３１４ｂ同士の間隔よりも広く、第一領域２０３ａ，２１３ａ，３０３ａ，３１３ａ内で凹条２０４ａ，２１４ａ，３０４ａ，３１４ａを挟んで隣り合う凸条２０４ｂ，２１４ｂ，３０４ｂ，３１４ｂ同士の間隔が、主伝熱領域２０２，２１２，３０２，３１２内で凹条２０６ａ，２１６ａ，３０６ａ，３１６ａを挟んで隣り合う凸条２０６ｂ，２１６ｂ，３０６ｂ，３１６ｂ同士の間隔よりも広く設定されている。
【００６３】
主伝熱領域２０２，２１２，３０２，３１２、第一領域２０３ａ，２１３ａ，３０３ａ，３１３ａ、及び第二領域２０３ｂ，２１３ｂ，３０３ｂ，３１３ｂにある凹条２０４ａ，２０５ａ，２０６ａ，２１４ａ，２１５ａ，２１６ａ，３０４ａ，３０５ａ，３０６ａ，３１４ａ，３１５ａ，３１６ａ及び凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂは、縦中心線ＣＬ１及び横中心線ＣＬ２のそれぞれに対して交差する方向に延びている。これにより、隣り合う伝熱プレート２，３の主伝熱領域２０２，２１２，３０２，３１２及び副伝熱領域２０３，２１３，３０３，３１３（第一領域２０３ａ，２１３ａ，３０３ａ，３１３ａ、第二領域２０３ｂ，２１３ｂ，３０３ｂ，３１３ｂ）にある凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂ同士が交差衝合するようになっている。
【００６４】
本実施形態において、複数の伝熱プレート２，３には、伝熱領域２００，２１０，３００，３１０の凹部（凹条）２０４ａ，２０５ａ，２０６ａ，２１４ａ，２１５ａ，２１６ａ，３０４ａ，３０５ａ，３０６ａ，３１４ａ，３１５ａ，３１６ａ、及び凸部（凸条）２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂの形態（配置）を異にする二種類の伝熱プレート２，３が含まれる。
【００６５】
具体的には、複数の伝熱プレート２，３には、第一伝熱プレート２と、第一伝熱プレート２よりも熱交換性能の高い第二伝熱プレート３とが含まれる。
【００６６】
第一伝熱プレート２は、主伝熱領域２０２，２１２の凹条２０６ａ，２１６ａ及び凸条２０６ｂ，２１６ｂの横中心線ＣＬ２に対する傾斜角度が、第二伝熱プレート３における主伝熱領域３０２，３１２の凹条３０６ａ，３１６ａ及び凸条３０６ｂ，３１６ｂの横中心線ＣＬ２に対する傾斜角度よりも大きく設定されている。すなわち、熱交換性能の高い第二伝熱プレート３における主伝熱領域３０２，３１２の凹条３０６ａ，３１６ａ及び凸条３０６ｂ，３１６ｂは、第一伝熱プレート２における主伝熱領域２０２，２１２の凹条２０６ａ，２１６ａ及び凸条２０６ｂ，２１６ｂよりも流体の流れを遮るように配置される。
【００６７】
本実施形態において、主伝熱領域２０２，２１２，３０２，３１２は、第三方向において四つの領域に区画されている。すなわち、縦中心線ＣＬ１を境にした二つの領域のそれぞれが、さらに二つの領域に区画されている。これにより、主伝熱領域２０２，２１２，３０２，３１２は、縦中心線ＣＬ１を境にした二つの領域のそれぞれにおいて、縦中心線ＣＬ１側の中心側領域（採番しない）と、これよりも第三方向において外側にある外側領域（採番しない）とを含む。
【００６８】
主伝熱領域２０２，２１２，３０２，３１２内の四つの領域（中心側領域、外側領域）のそれぞれには、凹条２０６ａ，２１６ａ，３０６ａ，３１６ａ及び凸条２０６ｂ，２１６ｂ，３０６ｂ，３１６ｂが縦中心線ＣＬ１に対して傾斜方向に延びている。
【００６９】
具体的には、主伝熱領域２０２，２１２，３０２，３１２内の縦中心線ＣＬ１を境にした二つの領域のそれぞれにおいて、中心側領域にある凹条２０６ａ，２１６ａ，３０６ａ，３１６ａ及び凸条２０６ｂ，２１６ｂ，３０６ｂ，３１６ｂは、外側領域にある凹条２０６ａ，２１６ａ，３０６ａ，３１６ａ及び凸条２０６ｂ，２１６ｂ，３０６ｂ，３１６ｂの傾斜方向に対して逆方向に傾斜している。
【００７０】
そして、主伝熱領域２０２，２１２，３０２，３１２内の縦中心線ＣＬ１を境にした二つの領域のそれぞれの凹条２０６ａ，２１６ａ，３０６ａ，３１６ａ及び凸条２０６ｂ，２１６ｂ，３０６ｂ，３１６ｂは、縦中心線ＣＬ１を基準に対称に配置されている。
【００７１】
一方の副伝熱領域２０３，２１３，３０３，３１３の第一領域２０３ａ，２１３ａ，３０３ａ，３１３ａの凹条２０４ａ，２１４ａ，３０４ａ，３１４ａ及び凸条２０４ｂ，２１４ｂ，３０４ｂ，３１４ｂは、いずれも主伝熱領域２０２，２１２，３０２，３１２における縦中心線ＣＬ１を境にした一方の領域にある中心側領域の凹条２０６ａ，２１６ａ，３０６ａ，３１６ａ及び凸条２０６ｂ，２１６ｂ，３０６ｂ，３１６ｂと同方向に延び、他方の副伝熱領域２０３，２１３，３０３，３１３の第一領域２０３ａ，２１３ａ，３０３ａ，３１３ａの凹条２０４ａ，２１４ａ，３０４ａ，３１４ａ及び凸条２０４ｂ，２１４ｂ，３０４ｂ，３１４ｂは、いずれも主伝熱領域２０２，２１２，３０２，３１２における縦中心線ＣＬ１を境にした他方の領域にある中心側領域の凹条２０６ａ，２１６ａ，３０６ａ，３１６ａ及び凸条２０６ｂ，２１６ｂ，３０６ｂ，３１６ｂと同方向に延びている。
【００７２】
第一シール予定領域２４，３４は、第一面Ｓａ上で第一流路画定領域２０，３０の輪郭に沿って形成される。すなわち、第一シール予定領域２４，３４は、第一流路画定領域２０，３０を画定する第一辺、第二辺、及び一対の傾斜辺に沿って形成される。これに対し、第二シール予定領域２５，３５は、第二面Ｓｂ上で第二流路画定領域２１，３１の輪郭に沿って形成される。すなわち、第二シール予定領域２５，３５は、第二流路画定領域２１，３１を画定する第一辺、第二辺、及び一対の傾斜辺に沿って形成される。本実施形態において、第二シール予定領域２５，３５は、第一シール予定領域２４，３４の形成される面とは反対側の面に形成されるが、第一方向に延びる仮想軸を基準にして、第一シール予定領域２４，３４に対して回転対称となるように形成される。すなわち、第一流路画定領域２０，３０と第二流路画定領域２１，３１は、第一方向に延びる仮想軸を基準に回転対称となる形状である。
【００７３】
第三シール予定領域２６，３６は、第一シール予定領域２４，３４と同一面上に形成され、第一シール予定領域２４，３４によって包囲される第一流路画定領域２０，３０から外れた第二貫通孔２３,３３の外周を包囲する。本実施形態において、第三シール予定領域２６，３６は、第一方向から見て、裏側にある第二シール予定領域２５，３５と部分的に重複して形成される。
【００７４】
第四シール予定領域２７，３７は、第二シール予定領域２５，３５と同一面上に形成され、第二シール予定領域２５，３５によって包囲される第二流路画定領域２１，３１から外れた第一貫通孔２２，３２の外周を包囲する。本実施形態において、第四シール予定領域２７，３７は、第一方向から見て、裏側にある第一シール予定領域２４，３４と部分的に重複して形成される。
【００７５】
本実施形態において、第一貫通孔２２，３２及び第二貫通孔２３，３３は、円形状に形成される。これに伴い、第三シール予定領域２６，３６及び第四シール予定領域２７，３７のそれぞれは、円環状に形成される。
【００７６】
第一シール予定領域２４，３４、第二シール予定領域２５，３５、第三シール予定領域２６，３６、及び第四シール予定領域２７，３７は、第一方向における第一流路画定領域２０，３０の伝熱領域２００，２１０，３００，３１０にある凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂの頂部と第二流路画定領域２１，３１の伝熱領域２００，２１０，３００，３１０にある凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂの頂部との中間位置にある中段部である。
【００７７】
本実施形態において、プレート式熱交換器１は、ガスケット４として、図１、図１０及び図１１に示す如く、第一シール予定領域２４，３４に配置される無端環状の第一ガスケット４ａと、第二シール予定領域２５，３５に配置される無端環状の第二ガスケット４ｂと、第三シール予定領域２６，３６に配置される無端環状の第三ガスケット４ｃと、第四シール予定領域２７，３７に配置される無端環状の第四ガスケット４ｄとを備える。
【００７８】
第一シール予定領域２４，３４と第三シール予定領域２６，３６は、同一面上に配置されるため、本実施形態において、第一ガスケット４ａと第二ガスケット４ｂとは部分的に繋がって一体成型される。また、第二シール予定領域２５，３５と第四シール予定領域２７，３７は、同一面上に配置されるため、本実施形態において、第二ガスケット４ｂと第四ガスケット４ｄとは部分的に繋がって一体成型される。
【００７９】
図１に戻り、一対のエンドプレート５，６のうち、一方のエンドプレート５は、伝熱プレート２，３の第一貫通孔２２，３２及び第二貫通孔２３，３３と対応した位置に貫通孔（図示しない）を有するプレート本体５０と、貫通孔に対応して設けられた筒状のノズル５１であって、配管を接続可能にプレート本体５０の外面から突出したノズル５１とを有する。これに対し、一対のエンドプレート５，６のうちの他方のエンドプレート６は、貫通孔のないプレートで構成される。
【００８０】
プレート式熱交換器１において、上記構成の複数の伝熱プレート２，３が第一方向に重ね合わされことで、複数の伝熱プレート２，３は、自身の第一面Ｓａを第一方向の一方側で隣り合う伝熱プレート２，３の第一面Ｓａと対向させるとともに、自身の第二面Ｓｂを第一方向の他方側で隣り合う伝熱プレート２，３の第二面Ｓｂと対向させる。
【００８１】
本実施形態に係るプレート式熱交換器１において、第一伝熱プレート２と第二伝熱プレート３とが第一方向において交互に配置される。
【００８２】
これに伴い、第一ガスケット４ａ及び第二ガスケット４ｂは、伝熱プレート２，３を境にして第一方向で交互に配置される。また、第三ガスケット４ｃ及び第四ガスケット４ｄも同様である。すなわち、図１０及び図１１に示す如く、隣り合う伝熱プレート２，３のうちの一方の伝熱プレート２の第一面Ｓａ上にある第一シール予定領域２４と他方の伝熱プレート３の第一面Ｓａ上にある第一シール予定領域３４との間に、第一ガスケット４ａが配置され、隣り合う伝熱プレート２，３のうちの一方の伝熱プレート２の第二面Ｓｂ上にある第二シール予定領域２５と他方の伝熱プレート３の第二面Ｓｂ上にある第二シール予定領域３５との間に、第二ガスケット４ｂが配置される。
【００８３】
また、隣り合う伝熱プレート２，３のうちの一方の伝熱プレート２の第一面Ｓａ上にある第三シール予定領域２６と他方の伝熱プレート３の第一面Ｓａ上にある第三シール予定領域３６との間に、第三ガスケット４ｃが配置され、隣り合う伝熱プレート２，３のうちの一方の伝熱プレート２の第二面Ｓｂ上にある第四シール予定領域２７，３７と他方の伝熱プレート３の第二面Ｓｂ上にある第四シール予定領域３７との間に、第四ガスケット４ｄが配置される。
【００８４】
これにより、本実施形態に係るプレート式熱交換器１において、図１に示す如く、第一流体Ａを流通させる第一流路Ｒａと、第二流体Ｂを流通させる第二流路Ｒｂとが伝熱プレート２，３を境にして第一方向に交互に形成される。また、プレート式熱交換器１において、複数の伝熱プレート２，３の四つの貫通孔のそれぞれが第一方向に連なり、第一流路Ｒａに第一流体Ａを流出入させる一対の第一連通路Ｒａ１，Ｒａ２と、第二流路Ｒｂに第一流体Ａを流出入させる一対の第二連通路Ｒｂ１，Ｒｂ２とが形成される。
【００８５】
本実施形態に係るプレート式熱交換器１は、以上の通りであり、図１０に示す如く、一方の第一連通路Ｒａ１に第一流体Ａが供給されると、第一流体Ａは、第一流路Ｒａに流入し、他方の第一連通路Ｒａ２に向けて流通しようとする。
【００８６】
そうすると、従来であれば、第一流体Ａは、一方の第一連通路Ｒａ１から主伝熱領域２０２，３０２までの距離が最短距離となる最短ルートを通って主伝熱領域２０２，３０２と対応する範囲に到達し、主伝熱領域２０２，３０２と対応する範囲を流通することになるが、本実施形態に係るプレート式熱交換器１では、第一流路Ｒａに流入した第一流体Ａは、第二方向、第三方向、及び第二方向と第三方向との合成方向に広がり、第二方向における主伝熱領域２０２，３０２と対応する範囲全域に到達する。
【００８７】
具体的には、第一流路Ｒａを画定する第一流路画定領域２０，３０の副伝熱領域２０３，３０３は、第一領域２０３ａ，３０３ａと第二領域２０３ｂ，３０３ｂとを含み、第一領域２０３ａ，３０３ａと対応する範囲での流通抵抗が第二領域２０３ｂ，３０３ｂと対応する範囲での流通抵抗よりも大きい。
【００８８】
そのため、第一流路Ｒａに流入した第一流体Ａは、流通抵抗の小さな第二領域２０３ｂ，３０３ｂと対応した範囲を優先的に流通し、第二領域２０３ｂ，３０３ｂと対応する範囲全域又は略全域に広がる。
【００８９】
特に、本実施形態において、第二領域２０３ｂ，３０３ｂは、第二方向に間隔をあけて配置される第一貫通孔２２，３２と第二貫通孔２３，３３との間（第一連通路Ｒａ１と第二連通路Ｒｂ２との間）にあるため、第一連通路Ｒａ１から流入した第一流体Ａは、第一連通路Ｒａ１に対して第二方向側にある第一領域２０３ａ，３０３ａ（第二領域２０３ｂ，３０３ｂと対応する範囲よりも流通抵抗の大きな第一領域２０３ａ，３０３ａと対応する範囲）よりも、第一流路Ｒａにおける第二領域２０３ｂ，３０３ｂと対応する範囲（第三方向又は第二方向と第三方向との合成方向）に向けて優先的に流通する。
【００９０】
この場合においても、最短ルートを通ろうと第一流体Ａも存在するが、本実施形態においては、第一領域２０３ａ，３０３ａと対応する範囲での流通抵抗が第二領域２０３ｂ，３０３ｂと対応する範囲での流通抵抗よりも大きいため、最先で第一領域２０３ａ，３０３ａと対応する範囲に到達した第一流体Ａは、第一流路Ｒａの第一領域２０３ａ，３０３ａと対応する範囲での流通抵抗を受ける。これにより、第一流体Ａは、そのまま最短ルートを通過して第一領域２０３ａ，３０３ａに進入しにくくなるため、後続の第一流体Ａは、第二方向に広がったり、最短ルートよりも距離が長い別ルートを通ったりすることになる。
【００９１】
その結果、第一流体Ａは、第一流路Ｒａにおける第二領域２０３ｂ，３０３ｂと対応する範囲に充満し、第一領域２０３ａ，３０３ａと対応する範囲全域又は略全域に進入する。
【００９２】
この状態において、一方の第一連通路Ｒａ１から主伝熱領域２０２，３０２までの距離が最短となる最短ルートを通る第一流体Ａが、最短ルートよりも距離が長い別ルートを通る第一流体Ａよりも先行していたとしても、本実施形態においては、主伝熱領域２０２，３０２と対応する範囲での流通抵抗が第一領域２０３ａ，３０３ａと対応する範囲での流通抵抗よりも大きいため、先行して主伝熱領域２０２，３０２と対応する範囲に到達した第一流体Ａは、第一流路Ｒａの主伝熱領域２０２，３０２での流通抵抗を受け、そのまま最短ルートを通過して主伝熱領域２０２，３０２に進入しにくくなる。
【００９３】
これにより、最短ルートよりも距離が長い別ルートを通った第一流体Ａが、最短ルートを通る第一流体Ａに対して追いついた状態になり、第一流路Ｒａにおける第一領域２０３ａ，３０３ａと対応する範囲にある第一流体Ａは、主伝熱領域２０２，３０２と対応する範囲全域又は略全域に対してバランスをとった状態で進入する。
【００９４】
そして、第一流体Ａは、主伝熱領域２０２，３０２の対応する範囲で第二方向に流通し、他方の副伝熱領域２０３，３０３の第二領域２０３ｂ，３０３ｂに到達する。上述の如く、第一領域２０３ａ，３０３ａと対応する範囲の流通抵抗よりも主伝熱領域２０２，３０２と対応する範囲の流通抵抗の方が大きい（主伝熱領域２０２，３０２と対応する範囲の流通抵抗よりも第一領域２０３ａ，３０３ａと対応する範囲の流通抵抗の方が小さい）ため、主伝熱領域２０２，３０２と対応する範囲を通過した第一流体Ａは、他方の副伝熱領域２０３，３０３の第一領域２０３ａ，３０３ａと対応する範囲を円滑に流通する。
【００９５】
また、第二領域２０３ｂ，３０３ｂと対応する範囲の流通抵抗よりも第一領域２０３ａ，３０３ａと対応する範囲の流通抵抗の方が大きい（第一領域２０３ａ，３０３ａと対応する範囲の流通抵抗よりも第二領域２０３ｂ，３０３ｂと対応する範囲の流通抵抗の方が小さい）ため、ここでも第一流体Ａは、円滑に第二領域２０３ｂ，３０３ｂと対応する範囲を通過して他方の第一連通路Ｒａ２に流出する。
【００９６】
この点、第二流体Ｂにおいても同様である。具体的に説明すると、図１１に示す如く、一方の第二連通路Ｒｂ１に第二流体Ｂが供給されると、第二流体Ｂは、第二流路Ｒｂに流入し、他方の第二連通路Ｒｂ２に向けて流通しようとする。
【００９７】
そうすると、従来であれば、第二流体Ｂは、一方の第二連通路Ｒｂ１から主伝熱領域２１２，３１２までの距離が最短距離となる最短ルートを通って主伝熱領域２１２，３１２に到達し、主伝熱領域２１２，３１２を流通することになるが、本実施形態に係るプレート式熱交換器１では、第二流路Ｒｂに流入した第二流体Ｂは、第二方向、第三方向、及び第二方向と第三方向との合成方向に広がり、第二方向における主伝熱領域２１２，３１２と対応する範囲全域に到達する。
【００９８】
具体的には、第二流路Ｒｂを画定する第二流路画定領域２１，３１の副伝熱領域２１３，３１３は、第一領域２１３ａ，３１３ａと第二領域２１３ｂ，３１３ｂとを含み、第二領域２１３ｂ，３１３ｂと対応する範囲での流通抵抗よりも第一領域２１３ａ，３１３ａと対応する範囲での流通抵抗が大きい。
【００９９】
そのため、第二流路Ｒｂに流入した第二流体Ｂは、流通抵抗の小さな第二領域２１３ｂ，３１３ｂと対応した範囲を優先的に流通し、第二領域２１３ｂ，３１３ｂと対応する範囲全域又は略全域に広がる。
【０１００】
特に、本実施形態において、第一領域２１３ａ，３１３ａは、第二方向に間隔をあけて配置される第一貫通孔２２，３２と第二貫通孔２３，３３との間（第一連通路Ｒａ２と第二連通路Ｒｂ１との間）にあるため、第二連通路Ｒｂ１から流入した第二流体Ｂは、第二連通路Ｒｂ１に対して第二方向側にある第一領域２１３ａ，３１３ａ（第二領域２１３ｂ，３１３ｂと対応する範囲よりも流通抵抗の大きな第一領域２１３ａ，３１３ａと対応する範囲）よりも、第二流路Ｒｂにおける第二領域２１３ｂ，３１３ｂと対応する範囲（第三方向又は第二方向と第三方向との合成方向）に向けて優先的に流通する。
【０１０１】
この場合においても、最短ルートを通ろうとする第二流体Ｂも存在するが、本実施形態においては、第一領域２１３ａ，３１３ａと対応する範囲での流通抵抗が第二領域２１３ｂ，３１３ｂと対応する範囲での流通抵抗よりも大きいため、最先で第一領域２１３ａ，３１３ａと対応する範囲に到達した第二流体Ｂは、第二流路Ｒｂの第一領域２１３ａ，３１３ａでの流通抵抗を受ける。これにより、第二流体Ｂは、そのまま最短ルートを通過して第一領域２１３ａ，３１３ａに進入しにくくなるため、後続の第二流体Ｂは、第二方向に広がったり、最短ルートよりも距離が長い別ルートを通ったりすることになる。
【０１０２】
その結果、第二流体Ｂは、第二流路Ｒｂにおける第二領域２１３ｂ，３１３ｂと対応する範囲に充満し、第一領域２１３ａ，３１３ａと対応する範囲全域又は略全域に進入する。
【０１０３】
この状態において、一方の第二連通路Ｒｂ１から主伝熱領域２１２，３１２までの距離が最短となる最短ルートを通る第二流体Ｂが、最短ルートよりも距離が長い別ルートを通る第二流体Ｂよりも先行していたとしても、本実施形態においては、主伝熱領域２１２，３１２と対応する範囲での流通抵抗が第一領域２１３ａ，３１３ａと対応する範囲での流通抵抗よりも大きいため、先行して主伝熱領域２１２，３１２と対応する範囲に到達した第二流体Ｂは、第二流路Ｒｂの主伝熱領域２１２，３１２での流通抵抗を受け、そのまま最短ルートを通過して主伝熱領域２１２，３１２に進入しにくくなる。
【０１０４】
これにより、最短ルートよりも距離が長い別ルートを通った第二流体Ｂが、最短ルートを通る第二流体Ｂに対して追いついた状態になり、第二流路Ｒｂにおける第一領域２１３ａ，３１３ａと対応する範囲にある第二流体Ｂは、主伝熱領域２１２，３１２と対応する範囲全域又は略全域に対してバランスをとった状態で進入する。
【０１０５】
そして、第二流体Ｂは、主伝熱領域２１２，３１２と対応する範囲で第二方向に流通し、他方の副伝熱領域２１３，３１３の第一領域２１３ａ，３１３ａに到達する。上述の如く、第一領域２１３ａ，３１３ａと対応する範囲の流通抵抗よりも主伝熱領域２１２，３１２と対応する範囲の流通抵抗の方が大きい（主伝熱領域２１２，３１２と対応する範囲の流通抵抗よりも第一領域２１３ａ，３１３ａと対応する範囲の流通抵抗の方が小さい）ため、主伝熱領域２１２，３１２と対応する範囲を通過した第二流体Ｂは、他方の副伝熱領域２１３，３１３の第一領域２１３ａ，３１３ａと対応する範囲を円滑に流通する。
【０１０６】
また、第二領域２１３ｂ，３１３ｂと対応する範囲の流通抵抗よりも第一領域２１３ａ，３１３ａと対応する範囲の流通抵抗の方が大きい（第一領域２１３ａ，３１３ａと対応する範囲の流通抵抗よりも第二領域２１３ｂ，３１３ｂと対応する範囲の流通抵抗の方が小さい）ため、ここでも第二流体Ｂは、円滑に第二領域２１３ｂ，３１３ｂと対応する範囲を通過して他方の第二連通路Ｒｂ２に流出する。
【０１０７】
このように、第一流路Ｒａを流通する第一流体Ａと、第二流路Ｒｂを流通する第二流体Ｂとは、伝熱プレート２，３（伝熱領域２００，２１０，３００，３１０）を挟んで間接的に対向するため、伝熱プレート２，３（伝熱領域２００，２１０，３００，３１０）を介して互いに熱交換する。
【０１０８】
本実施形態において、第一流路Ｒａを画定する伝熱プレート２，３（第一面Ｓａ同士を対向させて隣り合う伝熱プレート２，３）は、伝熱領域２００，３００全域で互いの凸条２０４ｂ，２０５ｂ，２０６ｂ，３０４ｂ，３０５ｂ，３０６ｂ同士を交差衝合させ、第二流路Ｒｂを画定する伝熱プレート２，３（第二面Ｓｂ同士を対向させて隣り合う伝熱プレート２，３）は、伝熱領域２１０，３１０全域で互いの凸条２１４ｂ，２１５ｂ，２１６ｂ，３１４ｂ，３１５ｂ，３１６ｂ同士を交差衝合させる。
【０１０９】
すなわち、第一流路Ｒａを画定する伝熱プレート２，３（第一面Ｓａ同士を対向させて隣り合う伝熱プレート２，３）は、伝熱領域２００，３００の主伝熱領域２０２，３０２の凸条２０６ｂ，３０６ｂ同士、副伝熱領域２０３，３０３の凸条２０４ｂ，２０５ｂ，３０４ｂ，３０５ｂ同士（第一領域２０３ａ，３０３ａの凸条２０４ｂ，３０４ｂ同士、第二領域２０３ｂ，３０３ｂの凸条２０５ｂ，３０５ｂ同士）を交差衝合させ、第二流路Ｒｂを画定する伝熱プレート２，３（第二面Ｓｂ同士を対向させて隣り合う伝熱プレート２，３）は、伝熱領域２１０，３１０の主伝熱領域２１２，３１２の凸条２１６ｂ，３１６ｂ同士、副伝熱領域２１３，３１３の凸条２１４ｂ，２１５ｂ，３１４ｂ，３１５ｂ同士（第一領域２１３ａ，３１３ａの凸条２１４ｂ，３１４ｂ同士、第二領域２１３ｂ，３１３ｂの凸条２１５ｂ，３１５ｂ同士）を交差衝合させる。
【０１１０】
これにより、第一流路Ｒａ内を流通する第一流体Ａの流れを伝熱領域２００，３００と対応する範囲全域で乱すとともに、第二流路Ｒｂ内を流通する第二流体Ｂの流れを伝熱領域２１０，３１０と対応する範囲全域で乱すことになり、第一流体Ａと第二流体Ｂとの熱交換性能が高まる。
【０１１１】
以上のように、プレート式熱交換器１は、第一方向に重ね合わされた複数の伝熱プレート２，３を備え、複数の伝熱プレート２，３のそれぞれは、第一流体Ａを流通させる第一流路Ｒａを画定する第一流路画定領域２０，３０を含む第一面Ｓａと、該第一面Ｓａの反対側の第二面Ｓｂであって、第二流体Ｂを流通させる第二流路Ｒｂを画定する第二流路画定領域２１，３１を含む第二面Ｓｂとを有するとともに、それぞれが第一流路画定領域２０，３０内で第一方向に貫通し且つ第一方向と直交する第二方向に間隔をあけて配置された一対の第一貫通孔２２，３２であって、それぞれが第一方向に延びて第一流路Ｒａのみ連通する第一連通路Ｒａ１，Ｒａ２を形成する一対の第一貫通孔２２,３２と、それぞれが第二流路画定領域２１，３１内で第一方向に貫通し且つ第二方向に間隔をあけて配置された一対の第二貫通孔２３，３３であって、それぞれが第一方向に延びて第二流路Ｒｂのみ連通する第二連通路Ｒｂ１，Ｒｂ２を形成する一対の第二貫通孔２３,３３とを有し、第一流路画定領域２０，３０及び第二流路画定領域２１，３１は、第一流体Ａと第二流体Ｂとを熱交換させる伝熱領域２００，２１０，３００，３１０であって、第一方向で互いに重なる伝熱領域２００，２１０，３００，３１０を含み、伝熱領域２００，２１０，３００，３１０は、伝熱プレート２，３の第二方向に延びる縦中心線ＣＬ１と第一方向及び第二方向と直交する第三方向に延びる横中心線ＣＬ２との交点を含む主伝熱領域２０２，２１２，３０２，３１２と、第二方向で主伝熱領域２０２，２１２，３０２，３１２を挟む一対の副伝熱領域２０３，２１３，３０３，３１３であって、主伝熱領域２０２，２１２，３０２，３１２から遠ざかるにつれて第三方向の寸法が小さくなる一対の副伝熱領域２０３，２１３，３０３，３１３とを含み、一対の副伝熱領域２０３，２１３，３０３，３１３のそれぞれは、第二方向で主伝熱領域２０２，２１２，３０２，３１２に繋がる第一領域２０３ａ，２１３ａ，３０３ａ，３１３ａと、第二方向で第一領域２０３ａ，２１３ａ，３０３ａ，３１３ａに繋がる第二領域２０３ｂ，２１３ｂ，３０３ｂ，３１３ｂであって、第一領域２０３ａ，２１３ａ，３０３ａ，３１３ａから遠ざかるにつれて第三方向の寸法が小さくなる第二領域２０３ｂ，２１３ｂ，３０３ｂ，３１３ｂとを含み、第一流路Ｒａ及び第二流路Ｒｂのそれぞれにおいて、第二領域２０３ｂ，２１３ｂ，３０３ｂ，３１３ｂと対応する範囲での流通抵抗よりも第一領域２０３ａ，２１３ａ，３０３ａ，３１３ａと対応する範囲での流通抵抗が大きく、且つ第一領域２０３ａ，２１３ａ，３０３ａ，３１３ａと対応する範囲での流通抵抗よりも主伝熱領域２０２，２１２，３０２，３１２と対応する範囲での流通抵抗が大きくなるように構成される。
【０１１２】
上記構成によれば、一方の第一連通路Ｒａ１から第一流路Ｒａに流入した第一流体Ａは、流通抵抗の小さな第二領域２０３ｂ，３０３ｂと対応した範囲を優先的に流通し、第二領域２０３ｂ，３０３ｂと対応する範囲全域又は略全域に広がる。そして、第一流体Ａは、第一領域２０３ａ，３０３ａの流通抵抗によって、最短ルートで第一領域２０３ａ，３０３ａに進入しにくくなるため、後続の第一流体Ａは、第二方向に広がったり、最短ルートよりも距離が長い別ルートを通ったりすることになる結果、第一流路Ｒａにおける第二領域２０３ｂ，３０３ｂと対応する範囲に充満し、第一領域２０３ａ，３０３ａと対応する範囲全域又は略全域に流入する。
【０１１３】
そして、最短ルートを通る第一流体Ａが、最短ルートよりも距離が長い別ルートを通る第一流体Ａよりも先行していたとしても、主伝熱領域２０２，３０２と対応する範囲での流通抵抗により、先行して主伝熱領域２０２，３０２と対応する範囲に到達した第一流体Ａは、第一流路Ｒａの主伝熱領域２０２，３０２での流通抵抗を受け、そのまま最短ルートを通過して主伝熱領域２０２，３０２と対応した範囲に流入しにくくなる。
【０１１４】
その結果、最短ルートよりも距離が長い別ルートを通った第一流体Ａが、最短ルートを通る第一流体Ａに対して追いついた或いは略追いついた状態になり、第一流路Ｒａにおける第一領域２０３ａ，３０３ａと対応する範囲にある第一流体Ａは、主伝熱領域２０２，３０２と対応する範囲全域又は略全域に対してバランスをとった状態で進入し、該主伝熱領域２０２，３０２と対応する範囲を第二方向に流通し、他方の副伝熱領域２０３，３０３と対応した範囲を介して他方の第一連通路Ｒａ２に流出する。
【０１１５】
また、一方の第二連通路Ｒｂ１から第二流路Ｒｂに流入した第二流体Ｂは、流通抵抗の小さな第二領域２１３ｂ，３１３ｂと対応した範囲を優先的に流通し、第二領域２１３ｂ，３１３ｂと対応する範囲全域又は略全域に広がる。そして、第二流体Ｂは、第一領域２１３ａ，３１３ａの流通抵抗によって、最短ルートで第一領域２１３ａ，３１３ａに進入しにくくなるため、後続の第二流体Ｂは、第二方向に広がったり、最短ルートよりも距離が長い別ルートを通ったりすることになる結果、第二流路Ｒｂにおける第二領域２１３ｂ，３１３ｂと対応する範囲に充満し、第一領域２１３ａ，３１３ａと対応する範囲全域又は略全域に流入する。
【０１１６】
そして、最短ルートを通る第二流体Ｂが、最短ルートよりも距離が長い別ルートを通る第二流体Ｂよりも先行していたとしても、主伝熱領域２１２，３１２と対応する範囲での流通抵抗により、先行して主伝熱領域２１２，３１２と対応する範囲に到達した第二流体Ｂは、第二流路Ｒｂの主伝熱領域２１２，３１２での流通抵抗を受け、そのまま最短ルートを通過して主伝熱領域２１２，３１２に流入しにくくなる。
【０１１７】
その結果、最短ルートよりも距離が長い別ルートを通った第二流体Ｂが、最短ルートを通る第二流体Ｂに対して追いついた或いは略追いついた状態になり、第二流路Ｒｂにおける第一領域２１３ａ，３１３ａと対応する範囲にある第二流体Ｂは、主伝熱領域２１２，３１２と対応する範囲全域又は略全域に対してバランスをとった状態で進入し、該主伝熱領域２１２，３１２と対応する範囲を第二方向に流通し、他方の副伝熱領域２１３，３１３と対応した範囲を介して他方の第二連通路Ｒｂ２に流出する。
【０１１８】
これにより、本実施形態に係るプレート式熱交換器１では、流路幅が最大となる範囲（主伝熱領域２０２，２１２，３０２，３１２と対応する範囲）での熱交換効率を高めることができるという優れた効果を奏し得る。
【０１１９】
本実施形態において、第一流路画定領域２０，３０の伝熱領域２００，３００には、複数の凹部２０４ａ，２０５ａ，２０６ａ，３０４ａ，３０５ａ，３０６ａ及び凸部２０４ｂ，２０５ｂ，２０６ｂ，３０４ｂ，３０５ｂ，３０６ｂが形成されるとともに、第二流路画定領域２１，３１の伝熱領域２１０，３１０には、第一流路画定領域２０，３０における伝熱領域２００，３００の凹部２０４ａ，２０５ａ，２０６ａ，３０４ａ，３０５ａ，３０６ａと表裏の関係にある凸部２１４ｂ，２１５ｂ，２１６ｂ，３１４ｂ，３１５ｂ，３１６ｂ及び第一流路画定領域２０，３０における伝熱領域２００，３００の凸部２０４ｂ，２０５ｂ，２０６ｂ，３０４ｂ，３０５ｂ，３０６ｂと表裏の関係にある凹部２１４ａ，２１５ａ，２１６ａ，３１４ａ，３１５ａ，３１６ａが形成され、第一流路画定領域２０，３０及び第二流路画定領域２１，３１のそれぞれの伝熱領域２００，２１０，３００，３１０において、凹部２０４ａ，２０５ａ，２０６ａ，２１４ａ，２１５ａ，２１６ａ，３０４ａ，３０５ａ，３０６ａ，３１４ａ，３１５ａ，３１６ａと凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂとが所定方向で交互に配置され、第二領域２０３ｂ，２１３ｂ，３０３ｂ，３１３ｂ内の凹部２０５ａ，２１５ａ，３０５ａ，３１５ａを挟んで隣り合う凸部２０５ｂ，２１５ｂ，３０５ｂ，３１５ｂ同士の間隔が、第一領域２０３ａ，２１３ａ，３０３ａ，３１３ａ内の凹部２０４ａ，２１４ａ，３０４ａ，３１４ａを挟んで隣り合う凸部２０４ｂ，２１４ｂ，３０４ｂ，３１４ｂ同士の間隔よりも広く、第一領域２０３ａ，２１３ａ，３０３ａ，３１３ａ内の凹部２０４ａ，２１４ａ，３０４ａ，３１４ａを挟んで隣り合う凸部２０４ｂ，２１４ｂ，３０４ｂ，３１４ｂ同士の間隔が、主伝熱領域２０２，２１２，３０２，３１２内の凹部２０６ａ，２１６ａ，３０６ａ，３１６ａを挟んで隣り合う凸部２０６ｂ，２１６ｂ，３０６ｂ，３１６ｂ同士の間隔よりも広く設定されている。
【０１２０】
これにより、第一流路Ｒａ及び第二流路Ｒｂのそれぞれにおいて、主伝熱領域２０２，２１２，３０２，３１２及び副伝熱領域２０３，２１３，３０３，３１３（第一領域２０３ａ，２１３ａ，３０３ａ，３１３ａ及び第二領域２０３ｂ，２１３ｂ，３０３ｂ，３１３ｂ）のそれぞれの領域と対応する範囲に対し、凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂ同士の間隔と対応した流通抵抗を付与することができる。
【０１２１】
特に、本実施形態において、主伝熱領域２０２，２１２，３０２，３１２、副伝熱領域２０３，２１３，３０３，３１３の第一領域２０３ａ，２１３ａ，３０３ａ，３１３ａ、及び副伝熱領域２０３，２１３，３０３，３１３の第二領域２０３ｂ，２１３ｂ，３０３ｂ，３１３ｂにある凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂは、該凹部２０４ａ，２０５ａ，２０６ａ，２１４ａ，２１５ａ，２１６ａ，３０４ａ，３０５ａ，３０６ａ，３１４ａ，３１５ａ，３１６ａと該凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂとが交互に並ぶ所定方向と直交する方向に延びる凹条及び凸条であり、隣り合う伝熱プレート２，３の各領域にある凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂ同士が交差衝合しているため、第一流路Ｒａで第一流体Ａの流れが乱れるとともに、第二流路Ｒｂで第二流体Ｂの流れが乱れる。これにより、第一流体Ａと第二流体Ｂとの熱交換効率が高められる。
【０１２２】
本実施形態において、一対の第一貫通孔２２，３２と一対の第二貫通孔２３，３３とは、第三方向に間隔をあけて配置され、第二領域２０３ｂ，２１３ｂ，３０３ｂ，３１３ｂは、第三方向で隣り合う第一貫通孔２２，３２と第二貫通孔２３，３３との間に配置され、第一領域２０３ａ，２１３ａ，３０３ａ，３１３ａは、第三方向で隣り合う第一貫通孔２２，３２及び第二貫通孔２３，３３と主伝熱領域２０２，２１２，３０２，３１２との間に配置される。
【０１２３】
かかる構成によれば、第一貫通孔２２，３２（第一連通路Ｒａ１）から第一流路Ｒａに流入した第一流体Ａを、第一流路Ｒａにおける上流域となる第二領域２０３ｂ，３０３ｂに向けて優先的に流通させることができ、最短ルートだけでなく最短ルートよりも距離の長い別のルートにも第一流体Ａを流通させることができる。これにより、第一流路Ｒａにおける第二領域２０３ｂ，３０３ｂと対応する範囲に第一流体Ａを充満させ、この第一流体Ａを下流側に流通させることができる。また、第二貫通孔２３，３３（第二連通路Ｒｂ１）から第二流路Ｒｂに流入した第二流体Ｂを、第二流路Ｒｂにおける上流域となる第二領域２１３ｂ，３１３ｂに向けて優先的に流通させることができ、最短ルートだけでなく最短ルートよりも距離の長い別のルートにも第二流体Ｂを流通させることができる。これにより、第二流路Ｒｂにおける第二領域２１３ｂ，３１３ｂの範囲に第二流体Ｂを充満させ、この第二流体Ｂを下流側に流通させることができる。
【０１２４】
なお、本発明は、上記実施形態に限定されるものではなく、本発明の要旨を逸脱しない範囲で、適宜変更を加え得ることは勿論である。
【０１２５】
上記実施形態において、複数の伝熱プレート２，３が凹条２０４ａ，２０５ａ，２０６ａ，２１４ａ，２１５ａ，２１６ａ，３０４ａ，３０５ａ，３０６ａ，３１４ａ，３１５ａ，３１６ａ及び凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂの形態（傾斜角度）を異にする二種類の伝熱プレート２，３（第一伝熱プレート２及び第二伝熱プレート３）を含んだが、これに限定されない。例えば、複数の伝熱プレート２，３は、同一のもの（凹条２０４ａ，２０５ａ，２０６ａ，２１４ａ，２１５ａ，２１６ａ，３０４ａ，３０５ａ，３０６ａ，３１４ａ，３１５ａ，３１６ａ及び凸条２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂの形態（傾斜角度）が同一のもの）であってもよい。
【０１２６】
上記実施形態において、第一流路画定領域２０，３０及び第二流路画定領域２１，３１のそれぞれに含まれる主伝熱領域２０２，２１２，３０２，３１２、副伝熱領域２０３，２１３，３０３，３１３の第一領域２０３ａ，２１３ａ，３０３ａ，３１３ａ、及び第二領域２０３ｂ，２１３ｂ，３０３ｂ，３１３ｂのそれぞれの凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂが所定方向に延びる凹条及び凸条とされたが、これに限定されない。主伝熱領域２０２，２１２，３０２，３１２、副伝熱領域２０３，２１３，３０３，３１３の第一領域２０３ａ，２１３ａ，３０３ａ，３１３ａ、及び第二領域２０３ｂ，２１３ｂ，３０３ｂ，３１３ｂの少なくとも何れか一つの領域の凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂが、所定方向に延びる凹条及び凸条であってもよい。
【０１２７】
すなわち、主伝熱領域２０２，２１２，３０２，３１２、副伝熱領域２０３，２１３，３０３，３１３の第一領域２０３ａ，２１３ａ，３０３ａ，３１３ａ、及び第二領域２０３ｂ，２１３ｂ，３０３ｂ，３１３ｂの何れかの凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂが、所定方向の長さを有さない（所定方向に延びていない）窪み及び突起であってもよいし、主伝熱領域２０２，２１２，３０２，３１２、副伝熱領域２０３，２１３，３０３，３１３の第一領域２０３ａ，２１３ａ，３０３ａ，３１３ａ、及び第二領域２０３ｂ，２１３ｂ，３０３ｂ，３１３ｂのそれぞれの凹部２０４ａ，２０５ａ，２０６ａ，２１４ａ，２１５ａ，２１６ａ，３０４ａ，３０５ａ，３０６ａ，３１４ａ，３１５ａ，３１６ａ及び凸部２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂが、所定方向の長さを有さない（所定方向に延びていない）窪み及び突起であってもよい。
【０１２８】
これらの何れの場合においても、第一流路Ｒａ及び第二流路Ｒｂのそれぞれにおいて、上記実施形態と同様に、各領域と対応する範囲での流通抵抗を異ならせるために、第二領域２０３ｂ，２１３ｂ，３０３ｂ，３１３ｂにある凹部２０５ａ，２１５ａ，３０５ａ，３１５ａを挟んで隣り合う凸部２０５ｂ，２１５ｂ，３０５ｂ，３１５ｂ同士の間隔が、第一領域２０３ａ，２１３ａ，３０３ａ，３１３ａにある凹部２０４ａ，２１４ａ，３０４ａ，３１４ａを挟んで隣り合う凸部２０４ｂ，２１４ｂ，３０４ｂ，３１４ｂ同士の間隔よりも広く、第一領域２０３ａ，２１３ａ，３０３ａ，３１３ａにある凹部２０４ａ，２１４ａ，３０４ａ，３１４ａを挟んで隣り合う凸部２０４ｂ，２１４ｂ，３０４ｂ，３１４ｂ同士の間隔が、主伝熱領域２０２，２１２，３０２，３１２内にある凹部２０６ａ，２１６ａ，３０６ａ，３１６ａを挟んで隣り合う凸部２０６ｂ，２１６ｂ，３０６ｂ，３１６ｂ同士の間隔よりも広く設定されることは勿論である。
【０１２９】
上記実施形態において、第一流路Ｒａ及び第二流路Ｒｂのそれぞれにおいて、各領域と対応する範囲での流通抵抗を異ならせるために、伝熱プレート２，３の伝熱領域２００，２１０，３００，３１０に含まれる主伝熱領域２０２，２１２，３０２，３１２、副伝熱領域２０３，２１３，３０３，３１３（第一領域２０３ａ，２１３ａ，３０３ａ，３１３ａ、第二領域２０３ｂ，２１３ｂ，３０３ｂ，３１３ｂ）に複数の凹部（凹条）２０４ａ，２０５ａ，２０６ａ，２１４ａ，２１５ａ，２１６ａ，３０４ａ，３０５ａ，３０６ａ，３１４ａ，３１５ａ，３１６ａ及び複数の凸部（凸条）２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂが形成されたが、これに限定されない。例えば、隣り合う伝熱プレート２，３の各領域同士の間隔（主伝熱領域２０２，２１２，３０２，３１２同士の間隔、第一領域２０３ａ，２１３ａ，３０３ａ，３１３ａ同士の間隔、第二領域２０３ｂ，２１３ｂ，３０３ｂ，３１３ｂ同士の間隔）を異ならせ、第一流路Ｒａ及び第二流路Ｒｂのそれぞれにおいて、各領域と対応する範囲での流通抵抗を異ならしてもよい。また、各領域間に流体の流通抵抗を付与する抵抗部材を配置してもよい。
【０１３０】
上記実施形態において、第三方向の一端側に一対の第一連通路Ｒａ１，Ｒａ２を形成し、第三方向の他端側に一対の第二連通路Ｒｂ１，Ｒｂ２を形成することで、第一流路Ｒａ及び第二流路Ｒｂのそれぞれにおいて流体（第一流体Ａ、第二流体Ｂ）の流れを台形流にしたが、これに限定されない。例えば、四角形状の伝熱プレート２，３の対角位置に一対の第一貫通孔２２，３２（第一連通路Ｒａ１，Ｒａ２となる貫通孔）を形成し、該伝熱プレート２，３の異なる対角位置に一対の第二貫通孔２３，３３（第二連通路Ｒｂ１，Ｒｂ２となる貫通孔）を形成することで、第一流路Ｒａ及び第二流路Ｒｂのそれぞれにおいて流体（第一流体Ａ、第二流体Ｂ）の流れを斜交流にしてもよい。
【０１３１】
上記実施形態において、隣り合う伝熱プレート２，３間にガスケット４を配置することで、伝熱プレート２，３間を封止し、第一流路Ｒａ、第二流路Ｒｂ、第一連通路Ｒａ１，Ｒａ２、及び第二連通路Ｒｂ１，Ｒｂ２を形成したが、これに限定されない。例えば、隣り合う伝熱プレート２，３間をロウ付け或いは溶接によって封止し、第一流路Ｒａ、第二流路Ｒｂ、第一連通路Ｒａ１，Ｒａ２、及び第二連通路Ｒｂ１，Ｒｂ２を形成してもよい。
【０１３２】
上記実施形態において、一対の第一貫通孔２２，３２と一対の第二貫通孔２３，３３とが第三方向に間隔をあけて配置され、その間に副伝熱領域２０３，２１３，３０３，３１３の第二領域２０３ｂ，２１３ｂ，３０３ｂ，３１３ｂが配置されたが、これに限定されない。例えば、一対の第一貫通孔２２，３２と一対の第二貫通孔２３，３３とが第三方向に間隔が狭い場合には、副伝熱領域２０３，２１３，３０３，３１３全域（第一領域２０３ａ，２１３ａ，３０３ａ，３１３ａ及び第二領域２０３ｂ，２１３ｂ，３０３ｂ，３１３ｂ）が第三方向に並ぶ第一貫通孔２２，３２と第二貫通孔２３，３３に対して第三方向で並ぶように配置されてもよい。
【符号の説明】
【０１３３】
１…プレート式熱交換器、２…第一伝熱プレート（伝熱プレート）、３…第二伝熱プレート（伝熱プレート）、４…ガスケット、４ａ…第一ガスケット、４ｂ…第二ガスケット、４ｃ…第三ガスケット、４ｄ…第四ガスケット、５，６…エンドプレート、２０，３０…第一流路画定領域、２１，３１…第二流路画定領域、２２，３２…第一貫通孔、２３，３３…第二貫通孔、２４，３４…第一シール予定領域、２５，３５…第二シール予定領域、２６，３６…第三シール予定領域、２７，３７…第四シール予定領域、５０…プレート本体、５１…ノズル、２００，２１０，３００，３１０…伝熱領域、２０１，３０１…第一貫通孔形成領域、２０２，２１２，３０２，３１２…主伝熱領域、２０３，２１３，３０３，３１３…副伝熱領域、２０３ａ，２１３ａ，３０３ａ，３１３ａ…第一領域、２０３ｂ，２１３ｂ，３０３ｂ，３１３ｂ…第二領域、２０４ａ，２０５ａ，２０６ａ，２１４ａ，２１５ａ，２１６ａ，３０４ａ，３０５ａ，３０６ａ，３１４ａ，３１５ａ，３１６ａ…凹条（凹部）、２０４ｂ，２０５ｂ，２０６ｂ，２１４ｂ，２１５ｂ，２１６ｂ，３０４ｂ，３０５ｂ，３０６ｂ，３１４ｂ，３１５ｂ，３１６ｂ…凸条（凸部）、２１１，３１１…第二貫通孔形成領域、Ａ…第一流体、Ｂ…第二流体、ＣＬ１…縦中心線、ＣＬ２…横中心線、Ｒａ…第一流路、Ｒａ１，Ｒａ２…第一連通路、Ｒｂ…第二流路、Ｒｂ１，Ｒｂ２…第二連通路、Ｓａ…第一面、Ｓｂ…第二面
【図１】
2019095124.tif 000003
【図２】
2019095124.tif 000004
【図３】
2019095124.tif 000005
【図４】
2019095124.tif 000006
【図５】
2019095124.tif 000007
【図６】
2019095124.tif 000008
【図７】
2019095124.tif 000009
【図８】
2019095124.tif 000010
【図９】
2019095124.tif 000011
【図１０】
2019095124.tif 000012
【図１１】
2019095124.tif 000013
【図１２】
2019095124.tif 000014
【図１３】
2019095124.tif 000015
【図１４】
2019095124.tif 000016
【図１５】
2019095124.tif 000017